(57)【要約】      （修正有）【課題】野菜包装用の袋において、印字よりもより簡易、安価な手段で出荷先情報を付与した野菜用包装袋を提供する。【解決手段】野菜用の包装袋１において、袋面に識別部３が設けられ、識別部には小孔が穿孔されてなり、識別部の位置及び小孔の数、配置、形状の組み合わせにより情報を付与し、その情報により出荷先の識別を可能とする。小孔は、○、△、□などの形状とし、出荷先毎に決められた数、配置とする。識別部は、袋の製造工程に小孔の打ち抜き工程を加えるだけで、容易に設けることができる。【選択図】図１
0003197949.tif 000002
【実用新案登録請求の範囲】
【請求項１】
野菜用の包装袋において、袋面に識別部が設けられ、識別部には小孔が穿孔されてなり、識別部の位置及び小孔の数、配置、形状の組み合わせにより情報を付与し、その情報により出荷先の識別を可能とした野菜用包装袋。
【考案の詳細な説明】
【技術分野】
【０００１】
本考案は、野菜を出荷する際に使用する袋に関し、特に、簡易な手段で、生産者や出荷先を識別可能とした野菜用包装袋に関する。
【背景技術】
【０００２】
ほうれん草などの野菜類は、一定量を結束したり、透明なプラスチックなどの袋に装入されて生産者から出荷先へと送られるが、同一の生産者から、また同一の生産物であっても、複数の出荷先へ送ることが多々あり、その際には出荷先毎に仕分けることが必要となる。
【０００３】
仕分けにあたって、取扱物に出荷先情報が付与されていれば作業は容易であるが、現在、それらの情報は、収納袋へ印字したり、結束コードにタグを付けたりすることにより行われている。
【０００４】
出荷先以外にも、生産者の情報など流通上必要な識別情報を付与することは、出荷作業やその後の商品管理において好都合である。
【０００５】
従来、特許文献１に開示されるように、生産者識別コードを結束用の長尺のテープ体に印字し、その識別コードにより出荷管理を行うシステムが知られている。
【０００６】
しかしながら、情報付与手段を複雑、高度なものとすると精度の高い管理が可能となるが、識別情報を付与する手段が高価なものとなり、また、付与した識別情報を読み取る手段も高価なものとなる難点がある。
【０００７】
産地や農産物の種類を表すロゴなどを印字した包装用の袋を用意することは可能であるが、生鮮食品である野菜類は、生産農家から複数の納品先へ出荷する場合が多く、納入先毎の出荷量そのものは少量であり、出荷先毎に異なる印刷を施した多種の袋を用意することは合理的とはいえなかった。
まして、多種少量の野菜類の仕分けに、出荷管理システムを導入することは、費用の面からも簡単に導入できるものではなかった。
【０００８】
多種少量の仕分け作業が多い野菜類の出荷作業を、より簡便、安価な手段で効率良く行うことができる技術の開発が待たれるところであった。
【０００９】
また、袋に印字以外の加工を施したものとして、特許文献２にあるように包装体である袋に小孔を設けたものもあるが、これは吊り下げのためのものであり、小孔を識別手段に利用したものは知られていない。
【先行技術文献】
【特許文献】
【００１０】
【特許文献１】特開２００４−３２６３４５号公報
【特許文献２】実用新案登録第３１７７７０２号公報
【考案の概要】
【考案が解決しようとする課題】
【００１１】
本考案は、従来の課題を解決し、野菜包装用の袋に印字よりもより簡易、安価な手段で出荷先情報を付与することを目的とする。
【課題を解決するための手段】
【００１２】
本考案者は、鋭意検討を重ねた結果、包装用の袋に小孔を穿ち、その小孔の組み合わせにより出荷先を示すことが可能となることを見出し、本考案に至った。
【００１３】
本考案は、野菜用包装袋に小孔からなる識別部を設けることを特徴とし、以下の技術を基礎とする。
【００１４】
野菜用の包装袋において、袋面に識別部が設けられ、識別部には小孔が穿孔されてなり、識別部の位置及び小孔の数、配置、形状の組み合わせにより情報を付与し、その情報により出荷先の識別を可能とした野菜用包装袋。
【考案の効果】
【００１５】
本考案に係る野菜用包装袋を使用することにより、簡易な手段でかつ安価に、包装袋に出荷先情報を付与することができる。
【図面の簡単な説明】
【００１６】
【図１】図１は、本考案に係る野菜用包装袋の実施例の一つ（実施例１）を示す図である。
【００１７】
【図２】図２は、実施例１において、小孔の数を変えた例を示す図である。
【００１８】
【図３】図３は、図１の野菜用包装袋において、識別部の位置を変えた例を示す図である。
【００１９】
【図４】図４は、図１の野菜用包装袋において、識別部の位置、小孔の形状を変えた例を示す図である。
【考案を実施するための形態】
【００２０】
本考案に係る野菜用包装袋は、内容物が容易に判別できるように透明な素材、例えば、ポリプロピレン、ポリエチレンやポリエチレンテレフタレートなどのフィルムからなるものが用いられる。
【００２１】
包装袋は、透明な素材フィルムを、ロゴなどの必要な印刷工程、製袋工程を経て作製される。野菜用の包装袋は、通常水切りを設ける必要があるので、製袋後、袋の下方両隅の切断工程を設けるとともに、小孔の打ち抜き工程からなる識別部付与工程を経て作製される。包装袋は通気性の穴が空けられた穴あきタイプのものでも差し支えない。
【００２２】
識別部は、中央に内容物を示すロゴが印刷されることが多いので、それを避けた位置に設ける。水切り用の切欠きが下方両隅部にあるものの場合、また、穴あきタイプのものの場合には、さらにそれらも考慮した位置に設ける。
【００２３】
識別用の小孔の形状は代表的には○であるが、△や□なども採用できる。作業の容易性を考慮すると、シンプルな形状が好ましい。穿孔作業の容易性、穿孔装置の費用、使用時の識別作業の容易性などを考慮して採択される。
【００２４】
小孔による出荷先の識別は、例えば、
Ａ農協：○
Ｂ農協：○○
Ｃ農協：○○○
Ｄ農協：○  ○
のように、出荷先毎に小孔の数、配置を決めておき、袋の表面の小孔の数、配置を確認することによって、出荷先を仕分ける。
小孔の大きさ、孔間の間隔などは、識別のしやすさ、袋の強度などを考慮して適宜選択する。
また、識別部の位置、小孔の形状を変えることによっても識別を行うことができる。
【００２５】
識別情報は、出荷先情報だけでなく、産地や生産者の識別用としても利用することができる。識別部を複数個所設けてもよい。
【実施例】
【００２６】
本考案の実施例を図に基づいて具体的に説明するが、本考案はこの実施例に制限されるものではない。
【００２７】
[実施例１]
図１及び図２は、識別用の小孔の形状として○を採用し、識別部を下方に設けた実施例である。
袋の中央部に、内容物や産地、ブランドを示すロゴが印刷され、下方の両隅には水切り用の切欠きを設けた。袋下方に識別部を設け、識別部は、識別用の小孔からなり、出荷先毎に決められた数を穿孔した。小孔は打ち抜きにより容易に穿孔することができた。
識別は、目視あるいは手で触ることにより行った。
実施例１に基づいて作製された野菜用包装袋は、出荷先の仕分けにおいて良好に作業をすることができた。多種少量のものであっても製袋費用を低く抑えることができた。
【００２８】
[実施例２]
図３は他の実施例で、識別部を左上方に設けた例で、小孔の数を出荷先毎に設定された数とした。実施例１と同様、良好に出荷先の仕分けを行うことができた。
【００２９】
[実施例３]
図４は小孔形状を△とし、識別部を右上方に設けた例であり、小孔の数を出荷先毎に設定した。実施例１と同様、良好に出荷先仕分け作業を行うことができた。
【産業上の利用可能性】
【００３０】
本考案に係る野菜用包装袋を使用すると、簡便な方法かつ安価に出荷先の仕分け作業を行うことができ、特に、多種少量の野菜類の仕分けにおいて、実用価値が高いものである。また、生産者の識別にも応用できるものである。
【符号の説明】
【００３１】
１  野菜用包装袋
２  ロゴ部
３  識別部
４  切欠き
【図１】
0003197949.tif 000003
【図２】
0003197949.tif 000004
【図３】
0003197949.tif 000005
【図４】
0003197949.tif 000006